(57)【要約】      （修正有）【課題】操作の便利性を増し、大幅に電気泳動装置関係ツールの操作方法を簡易化する一種の電気泳動装置のゲル注入モジュール及び電極モジュールを提供する。【解決手段】フレーム２０にキャリーシートセット１０のキャリーシート１１が当接する少なくとも一つの凹部２１が設けられ、並びにフレームの凹部の下方に凹部に向けて回動し重畳可能であるカバー３０が設けられ、フレームの上方の両側の肩部に別にこのカバーを固定するか或いは釈放する係止部品４１が設けられ、このフレームがゲル注入モジュールと電極モジュールがキャリーシートセットを固定するのに用いる主体とされ、使用時にカバーを閉じる動作でキャリーシートセットを所属のフレームに固定でき、操作の便利性を向上し、大幅に電気泳動装置の関係ツールの操作方法を簡易化する。【選択図】図１
0003111593.tif 000002
【実用新案登録請求の範囲】
【請求項１】
フレームを具え、該フレームに少なくとも一つの凹部が設けられ、この凹部がキャリーシートセットのキャリーシートの板面に当接させられる、電気泳動装置のゲル注入モジュールにおいて、
該フレームの凹部の下方に凹部に向けて回転し当接するカバーが設けられ、該フレームの上方の両側の肩部にこのカバーを固定する係止部品が設けられ、該フレームの凹部にクッションパッドが敷設され、該クッションパッドが少なくとも底部に辺框を具えたことを特徴とする、電気泳動装置のゲル注入モジュール。
【請求項２】
請求項１記載の電気泳動装置のゲル注入モジュールにおいて、カバーの上端に係止部品と対応し係合するフックが設けられ、該係止部品にストッパ片が設けられ、並びに該係止部品がフレームの両側の肩部に枢設され、下向きに回転してストッパ片がフックと係合する位置に至ることを特徴とする、電気泳動装置のゲル注入モジュール。
【請求項３】
請求項２記載の電気泳動装置のゲル注入モジュールにおいて、フレームの肩部に凸板が設けられ、該凸板にフックを通過させる穿孔が設けられたことを特徴とする、電気泳動装置のゲル注入モジュール。
【請求項４】
請求項３記載の電気泳動装置のゲル注入モジュールにおいて、係止部品にあって凸板のカバーに向いた部分に対応するように、キャリーシートセットに対してクッションパッドを底部の辺框に向けて圧接させる弾性片が設けられたことを特徴とする、電気泳動装置のゲル注入モジュール。
【請求項５】
請求項１記載の電気泳動装置のゲル注入モジュールにおいて、カバーの下端が凹部下方に枢設されたことを特徴とする、電気泳動装置のゲル注入モジュール。
【請求項６】
請求項１記載の電気泳動装置のゲル注入モジュールにおいて、クッションパッドが弾性変形量を有する材料で形成されて両側及び底部に辺框が設置されたことを特徴とする、電気泳動装置のゲル注入モジュール。
【請求項７】
電気泳動装置の電極モジュールにおいて、フレームを具え、該フレームに少なくとも一つの凹部が設けられ、この凹部がキャリーシートセットのキャリーシートの板面の当接に供され、フレームの上方の両側の肩部に電極コネクタが設けられ、該フレームの凹部の下方に凹部に向けて回転し圧接固定されるカバーが設けられ、該フレームの上方の両側の肩部にカバーを係止或いは釈放できる係止部品が設けられ、該凹部に該キャリーシートセットに対してクッション作用を形成するゴム條が設けられたことを特徴とする、電気泳動装置の電極モジュール。
【請求項８】
請求項７記載の電気泳動装置の電極モジュールにおいて、カバーの上端に係止部品下方の進入に供されるフックが横向きに設けられ、フレームの肩部にフックの貫通と係止に供される穿孔が設けられたことを特徴とする、電気泳動装置の電極モジュール。
【請求項９】
請求項８記載の電気泳動装置の電極モジュールにおいて、二つの係止部品が弾性フック板によりフレームの両側の肩部に係合することを特徴とする、電気泳動装置の電極モジュール。
【請求項１０】
請求項７記載の電気泳動装置の電極モジュールにおいて、フレームの両側の肩部に電気泳動槽の上蓋より突出する柱体が設けられたことを特徴とする、電気泳動装置の電極モジュール。
【請求項１１】
請求項７記載の電気泳動装置の電極モジュールにおいて、二つの係止部品に電気泳動槽の上蓋より突出する柱体が設けられたことを特徴とする、電気泳動装置の電極モジュール。
【請求項１２】
請求項７記載の電気泳動装置の電極モジュールにおいて、カバーの下端が凹部下方に枢設されたことを特徴とする、電気泳動装置の電極モジュール。
【請求項１３】
請求項７記載の電気泳動装置の電極モジュールにおいて、ゴム條が弾性を具えた材料で形成されたことを特徴とする、電気泳動装置の電極モジュール。
【考案の詳細な説明】
【技術分野】
【０００１】
本考案は生物試験用の電気泳動装置中のゲル注入モジュール及び電極モジュールに応用される構造の改良に係り、特に、操作が簡単で確実であるゲル注入モジュールと電極モジュールに関する。
【背景技術】
【０００２】
バイオテクノロジー中のＤＮＡ、ＲＮＡ、及び蛋白質の分離／分析に用いられる電気泳動工程にあって、その前作業で２片の重畳するキャリーシートの両側及び底部を密封し、並びに２片のキャリーシートの間で挟まれた空隙中に、上方開口より液状ゲルを注入し、並びにコームを置き入れて、ゲル固定成形後にコームを取り出してゲルを含有するキャリーシートセットを形成することが必要である。
【０００３】
前作業完成後に、この２片のキャリーシートとゲルを含有するキャリーシートセットを正確に電気泳動部槽に位置決めし、並びに電気泳動槽内にバッファ液を注入し、キャリーシートセットのゲルに分離／分析したいサンプルを注入した後、電極に接続すれば、電気泳動工程を行なえる。
【０００４】
これにより、実際の電気泳動装置中にあって、ゲル注入モジュールの使用が必要であり、このゲル注入モジュールはキャリーシートとパッキング周囲を制圧固定し、並びにキャリーシート下方の開口を一時的に遮蔽してゲルの注入、定型を行ない、更にキャリーシートセットの製作を順調に完成するのに用いられる。このほか、キャリーシートセットを電気泳動槽に挿入する前に、先ず電極モジュールに固定する必要があり、これにより電極モジュールを電気泳動槽に設置し、並びに電極に接続する。
【０００５】
特許文献１、２に記載の電気泳動装置中には、キャリーシート及びパッキングの制圧固定を補助する関係ゲル注入モジュール構造が記載されている。そのうち、特許文献１には、ネジによりキャリーシートを固定する伝統的なツール構造が記載され、このタイプのツールは使用時に、規定の深さまでネジを続けて回さねば確実にキャリーシートを制圧できず、このため使用上、順調でなく、且つキャリーシートセット製作の時間が緩慢である。
【０００６】
また特許文献２に記載のゲル注入モジュールは、両側の回転板を偏移させた後、前より後ろにキャリーシート両辺を制圧し、上方は逆Ｔ形の制圧板を利用してキャリーシートを下圧する。このタイプのゲル注入モジュールは実際の使用時に、回転板がキャリーシート下方にあって前より後ろに圧迫せず、このためキャリーシートに対する制圧能力が低く、且つキャリーシート下方の開口に対する制圧作用もバネにより押圧される係止部品により達成される複雑な構造とされている。
【０００７】
このほか、特許文献３及び特許文献４に記載の電気泳動装置は、キャリーシートセットの固定を補助する電極モジュール構造を具えている。そのうち、特許文献３にはキャリーシートセットが位置決めフレームに置かれ、その後位置決めフレームが固定座内に置かれ、固定座両側の回転板が内向きに回されキャリーシートセットが固定され、最後にキャリーシートセット、位置決めフレーム及び固定座が一体に電気泳動槽中に置かれる電極モジュール構造が記載が記載されている。
【０００８】
また、特許文献４には、電気泳動装置の両側に内向きに回転する逆Ｕ形の挟持部品が設けられ、底部に上向きに回転可能なシール條が設けられ、キャリーシートが電気泳動装置に置かれる時、挟持部品が内向きに回転させられてキャリーシートセットを制圧した後、シール條両側のフックが挟持部品の凹溝に係合されてキャリーシートセットを挟持する電極モジュールが記載されている。
【０００９】
ただし、特許文献３と特許文献４の周知のキャリーシートセットを固定接合する電極モジュールは、キャリーシートセットを固定する目的を達成できるものの、その操作方式は、キャリーシートセット製作時に使用するツール操作方式と完全に異なり、完全に異なる操作方式のツールの使用の下、全体の電気泳動装置が操作上、複雑煩瑣となり、且つ関係ツールの操作方法に慣れなければ、サンプルの分離／分析の正確性に影響が生じる。
【００１０】
【特許文献１】米国実用新案登録第５，６２６，７３５号明細書
【特許文献２】米国実用新案登録第５，１６２，３４２号明細書
【特許文献３】米国実用新案登録第５，６３２，８７７号明細書
【特許文献４】米国実用新案登録第６，１１０，３４０号明細書
【考案の開示】
【考案が解決しようとする課題】
【００１１】
本考案は操作の便利性を増し、大幅に電気泳動装置関係ツールの操作方法を簡易化する一種の電気泳動装置のゲル注入モジュール及び電極モジュールを提供することを目的とする。それは、フレームに少なくとも一つの凹部が設けられ、この凹部がキャリーシートセットのキャリーシートの板面の当接に供され、並びにフレームの凹部下方に凹部に向けて回転し圧接されるカバーが設けられ、フレームの上方の両側肩部にこのカバーを固定或いは釈放する係止部品が設けられ、このフレームがゲル注入モジュールと電極モジュールがキャリーシートセットを位置決めする主体とされる。
【００１２】
そのうち、ゲル注入モジュールのフレームは凹部部分にクッションパッドが敷設され、このクッションパッドは弾性変形量を有する材料で形成され、並びに底部及び両側に辺框が設けられ、クッションパッドの辺框により相互に対応し二片のキャリーシートの底部と両側の辺縁開口を遮蔽する構造形態が構成され、並びに僅かに係止部品を押圧して蓋を開ける動作により、２片のキャリーシートの底部及び両側辺縁を、クッションパッドの辺框の弾性により密封し液状ゲルの漏洩を防止し、並びに２片のキャリーシートをフレームに制圧し、簡単な操作方式でゲル注入作業を完成できるものとされる。
【００１３】
このほか、電極モジュールのフレームは凹部周囲に弾性を具えたゴム條が設けられ、前述のカバーがキャリーシートセットを凹部に向けて圧接させる時、ゴム條がキャリーシートセットと凹部の間に位置して緩衝と隔離作用を発生し、確実にキャリーシートセットをフレームに制圧固定し、これによりキャリーシートセットと電極モジュールが後に電気泳動槽に置き入れられ並びにバッファ液が注入される時に、電気泳動工程に必要な正負極隔離状態を形成でき（これは電気泳動工程実行時の周知の技術であるため詳しい説明を省略する）、並びにキャリーシートセットが圧力の過大により破裂する危険を防止する。また、電極モジュールにフレームの肩部にあって関係する電極プラグが設けられ、これによりキャリーシートセットと電極モジュールが合わせて電気泳動槽に挿入された後、電気泳動槽内にバッファ液を注入し、及びキャリーシートセットのゲルに分離／分析するサンプルを注入した後、電極に接続して電気泳動工程を実行することができる。
【課題を解決するための手段】
【００１４】
請求項１の考案は、フレームを具え、該フレームに少なくとも一つの凹部が設けられ、この凹部がキャリーシートセットのキャリーシートの板面に当接させられる、電気泳動装置のゲル注入モジュールにおいて、
該フレームの凹部の下方に凹部に向けて回転し当接するカバーが設けられ、該フレームの上方の両側の肩部にこのカバーを固定する係止部品が設けられ、該フレームの凹部にクッションパッドが敷設され、該クッションパッドが少なくとも底部に辺框を具えたことを特徴とする、電気泳動装置のゲル注入モジュールとしている。
請求項２の考案は、請求項１記載の電気泳動装置のゲル注入モジュールにおいて、カバーの上端に係止部品と対応し係合するフックが設けられ、該係止部品にストッパ片が設けられ、並びに該係止部品がフレームの両側の肩部に枢設され、下向きに回転してストッパ片がフックと係合する位置に至ることを特徴とする、電気泳動装置のゲル注入モジュールとしている。
請求項３の考案は、請求項２記載の電気泳動装置のゲル注入モジュールにおいて、フレームの肩部に凸板が設けられ、該凸板にフックを通過させる穿孔が設けられたことを特徴とする、電気泳動装置のゲル注入モジュールとしている。
請求項４の考案は、請求項３記載の電気泳動装置のゲル注入モジュールにおいて、係止部品にあって凸板のカバーに向いた部分に対応するように、キャリーシートセットに対してクッションパッドを底部の辺框に向けて圧接させる弾性片が設けられたことを特徴とする、電気泳動装置のゲル注入モジュールとしている。
請求項５の考案は、請求項１記載の電気泳動装置のゲル注入モジュールにおいて、カバーの下端が凹部下方に枢設されたことを特徴とする、電気泳動装置のゲル注入モジュールとしている。
請求項６の考案は、請求項１記載の電気泳動装置のゲル注入モジュールにおいて、クッションパッドが弾性変形量を有する材料で形成されて両側及び底部に辺框が設置されたことを特徴とする、電気泳動装置のゲル注入モジュールとしている。
請求項７の考案は、電気泳動装置の電極モジュールにおいて、フレームを具え、該フレームに少なくとも一つの凹部が設けられ、この凹部がキャリーシートセットのキャリーシートの板面の当接に供され、フレームの上方の両側の肩部に電極コネクタが設けられ、該フレームの凹部の下方に凹部に向けて回転し圧接固定されるカバーが設けられ、該フレームの上方の両側の肩部にカバーを係止或いは釈放できる係止部品が設けられ、該凹部に該キャリーシートセットに対してクッション作用を形成するゴム條が設けられたことを特徴とする、電気泳動装置の電極モジュールとしている。
請求項８の考案は、請求項７記載の電気泳動装置の電極モジュールにおいて、カバーの上端に係止部品下方の進入に供されるフックが横向きに設けられ、フレームの肩部にフックの貫通と係止に供される穿孔が設けられたことを特徴とする、電気泳動装置の電極モジュールとしている。
請求項９の考案は、請求項８記載の電気泳動装置の電極モジュールにおいて、二つの係止部品が弾性フック板によりフレームの両側の肩部に係合することを特徴とする、電気泳動装置の電極モジュールとしている。
請求項１０の考案は、請求項７記載の電気泳動装置の電極モジュールにおいて、フレームの両側の肩部に電気泳動槽の上蓋より突出する柱体が設けられたことを特徴とする、電気泳動装置の電極モジュールとしている。
請求項１１の考案は、請求項７記載の電気泳動装置の電極モジュールにおいて、二つの係止部品に電気泳動槽の上蓋より突出する柱体が設けられたことを特徴とする、電気泳動装置の電極モジュールとしている。
請求項１２の考案は、請求項７記載の電気泳動装置の電極モジュールにおいて、カバーの下端が凹部下方に枢設されたことを特徴とする、電気泳動装置の電極モジュールとしている。
請求項１３の考案は、請求項７記載の電気泳動装置の電極モジュールにおいて、ゴム條が弾性を具えた材料で形成されたことを特徴とする、電気泳動装置の電極モジュールとしている。
【考案の効果】
【００１５】
本考案のゲル注入モジュールと電極モジュールはいずれもカバーを閉じて係止部品を押圧する方式で、キャリーシートセットを所属のフレームに固定し、明らかに操作の便利性を増し、これにより大幅に電気泳動装置関係ツールの操作方法を簡易化する。
【考案を実施するための最良の形態】
【００１６】
本考案の電気泳動装置のゲル注入モジュール及び電極モジュールは、そのゲル注入モジュールと電極モジュールの基本構造が図１及び図２に示されるようであり、キャリーシートセット１０を位置決めするフレーム２０を主体としている。そのうち、図１に示されるゲル注入モジュール、及び図２に示される電極モジュールは、それぞれ所属のフレーム２０に少なくとも一つの凹部２１が設けられ、この凹部２１がキャリーシートセット１０のキャリーシート１１の板面の当接に供される。
【００１７】
前述のフレーム２０の凹部２１の下方に凹部２１に向けて回して圧接させられるカバー３０が設けられ、該フレーム２０の上方の両側の肩部に、このカバー３０を固定する係止部品が設けられている。図中、ゲル注入モジュールと電極モジュールに所属する係止部品は第１係止部品４１、第２係止部品４２として区分される。
【００１８】
図１に示されるように、ゲル注入モジュールの具体的実施時には、フレーム２０は凹部２１部分にクッションパッド５０が設けられ、このクッションパッド５０は両側及び底部に辺框５１が設けられ、クッションパッド５０の辺框５１がキャリーシート１１の両側及び下方辺縁開口に対応しそれを遮蔽する構造形態を構成する。実施時に、クッションパッド５０は弾性変形量を有する材料、たとえばゴム或いはシリコンゴムで形成される。
【００１９】
前述のカバー３０の下端は凹部２１の下方に枢設され、カバー３０が上向きに回転可能とされ、カバー３０の上端に第１係止部品４１を係止可能なフック３１が設けられている。ゲル注入モジュールに所属の二つの第１係止部品４１はフレーム２０の両側肩部部分に枢設されて下方に向けてフック３１と相互に係合する位置に回転することができる。
【００２０】
フレーム２０にはこのほかに肩部部分に凸板２２が設けられ、該凸板２２にフック３１を通過させる穿孔２２１が設けられ、カバー３０のフック３１が穿孔２２１を通過して第１係止部品４１と係合する。
【００２１】
図３、４も合わせて参照されたい。ゲル注入モジュールに所属する第１係止部品４１は更に下方に弾性片４１１を具え、この弾性片４１１の位置はちょうど凹部２１の下方とされて、この弾性片４１１がキャリーシート１１に対してクッションパッド５０の底部の辺框５１に向けて圧接する作用力を発生する。このほか、第１係止部品４１にストッパ片４１２が設けられ、このストッパ片４１２によりカバー３０のフック３１と係止作用が構成される。
【００２２】
図１に示されるように、二つのキャリーシート１１とパッキング１２で構成されたキャリーシートセット１０はフレーム２０の凹部２１に挿入され、並びにクッションパッド５０と当接させられた後、ゲル注入モジュールに所属する第１係止部品４１が下向きに回転させられ、第１係止部品４１の弾性片４１１がクッションパッド５０の底部の辺框５１に向けて圧接させられ（図３）、並びに第１係止部品４１のストッパ片４１２がフック３１と係合する位置に移動させられる。
【００２３】
このとき、カバー３０が凹部２１の方向に閉じ合わされ位置決めされ、カバー３０のフック３１が穿孔２２１に通され、並びに第１係止部品４１と係合された後、カバー３０によりキャリーシートセットのキャリーシート１１がクッションパッド５０及び凹部２１に向けて制圧され、キャリーシート１１の位置決め作業が完成する。
【００２４】
言い換えると、二つのキャリーシート１１及びパッキング１２が凹部２１内のクッションパッド５０に置き入れられた後は、第１係止部品４１を押圧しカバー３０を閉じる動作だけで、キャリーシート１１の下端がフレーム２０にあって制圧され、並びにキャリーシート１１の両側とパッキング１２が確実に接合される。このほか、前述のキャリーシート１１がフレーム２０にあって制圧される時、クッションパッド５０の辺框５１が弾性を有するため、二つのキャリーシート１１の底部及び両側の辺縁が密封され、これにより液体ゲルが注入される時、漏洩防止の効果が達成される。
【００２５】
且つゲルの定型の後、反対方向にゲル注入モジュールの第１係止部品４１を上向きに回し、ストッパ片４１２をフック３１との係合状態より離脱させれば、カバー３０を開放でき、キャリーシートセット１０をフレーム２０より取り出すことができる。
【００２６】
図２及び図５に示されるように、本考案が電極モジュールに応用される時、フレーム２０は凹部２１部分の周囲が弾性を有する材料（たとえばゴム或いはシリコンゴム）で形成されたゴム條６０で囲まれ、た、電極モジュールはフレーム２０の肩部に関係する電極コネクタ７０が設けられる。
【００２７】
実施時に、電極モジュールに所属するカバー３０の下端は凹部２１の下方に枢設され、カバー３０の上端に第２係止部品４２の下方に進入可能なフック３１が横向きに設けられる。
【００２８】
電極モジュールに所属の第２係止部品４２は直接弾性フック板４２１を利用してフレーム２０の両側の肩部に係合され、この第２係止部品４２の後端はフック３１を下向きに押圧する押圧部４２２とされる。このほか、電極モジュールに所属のフレーム２０は、肩部にフック３１の通過及び係止に供される穿孔２２１が設けられ、カバー３０のフック３１とフレーム２０に係止作用を構成させ、並びに第２係止部品４２の押圧部４２２がフック３１を下向きに押圧する時、フック３１とフレーム２０の係止作用を釈放する。
【００２９】
こうしてカバー３０を閉じる動作により、確実にキャリーシートセット１０をフレーム２０の凹部２１に制圧することができ、並びに圧接時に、ゴム條６０がキャリーシートセット１０と凹部２１の間で緩衝作用を発生し、キャリーシートセット１０が圧力過大により破裂する危険を防止でき、並びにキャリーシートセット１０及び電極モジュールが続いて電気泳動槽８０に置かれ（図６）、並びにバッファ液が注入される時、電気泳動工程に必要な正負極隔離状態を形成する（これは電気泳動工程実施時の周知の技術であるため詳しい説明は省略する）。続いて電極モジュールに所属のフレーム２０をキャリーシートセット１０と共に電気泳動槽８０中に入れ、並びに電気泳動槽８０内にバッファ液を注入し、キャリーシートセット１０のゲルに分離／分析するサンプルを注入した後、電極コネクタ７０を電極（図示せず）に接続すれば電気泳動工程を実行できる。特に、電極モジュールと前述のゲル注入モジュールはカバーを閉じる方式でキャリーシートセットが所属のフレームに固定されるため、操作の便利性が向上され、大幅に電気泳動装置関係ツールの操作方法を簡易化できる。
【００３０】
更に、本実施例では、更に電極モジュールに所属の第２係止部品４２の上方に、電気泳動槽８０の上蓋８１より突出する柱体４２３が設けられ、これにより電気泳動工程完成後に上蓋８１を開ける過程で、手指で同時に柱体４２２を押圧すれば、電極モジュールに所属のフレーム２０を上蓋８１が上向きに開けられる方向と反対の方向に制圧でき、上蓋８１を順調に開放でき、並びにキャリーシートセット１０のぐらつき、分散を防止できる。
【００３１】
以上のように、本考案の電気泳動装置のゲル注入モジュール及び電極モジュールは電気泳動装置関係ツールの操作方法を簡易化する。なお、以上の実施例は本考案の実施範囲を限定するものではなく、以上の実施例に基づきなしうる細部の修飾或いは改変は、いずれも本考案の請求範囲に属するものとする。
【図面の簡単な説明】
【００３２】
【図１】本考案中のゲル注入モジュールの分解図である。
【図２】本考案中の電極モジュールの分解図である。
【図３】本考案中のゲル注入モジュールの係止部品とカバーの係止状態表示図である。
【図４】本考案中のゲル注入モジュールの係止部品が回された状態の表示図である。
【図５】本考案中の電極モジュールの係止部品とフレームの係止状態表示図である。
【図６】本考案中の電極モジュールが電気泳動槽に置かれた状態の表示図である。
【符号の説明】
【００３３】
１０  キャリーシートセット            ４１２  ストッパ片
１１  キャリーシート                  ４２  第２係止部品
１２  パッキング                      ４２１  弾性フック板
２０  フレーム                        ４２２  押圧部
２１  凹部                            ４２３  柱体
２２  凸板                            ５０  クッションパッド
２２１  穿孔                          ５１  辺框
３０  カバー                          ６０  ゴム條
３１  フック                          ７０  電極コネクタ
４１  第１係止部品                    ８０  電気泳動槽
４１１  弾性片                        ８１  上蓋
【図１】
0003111593.tif 000003
【図２】
0003111593.tif 000004
【図３】
0003111593.tif 000005
【図４】
0003111593.tif 000006
【図５】
0003111593.tif 000007
【図６】
0003111593.tif 000008